(57)【要約】      （修正有）【課題】１回の施錠で複数の引出しを同時にロックできるだけでなく、天板側収納部の上蓋も同時にロックできる収納キャビネットの引出しロック機構を提供する。【解決手段】前縁部の下面にフック片を備えた上蓋13が上下に開閉自在に枢支されて成るキャビネット筐体１と、キャビネット筐体１に装着された複数の引出しトレイ２と、キャビネット筐体１の正面側の側枠または上下枠に、前後に開閉自在にヒンジ連結され、上部裏側にフック片が設けられたストッパー部材３と、キャビネット筐体１の正面上枠に取り付けられた施錠装置４と、キャビネット筐体１の正面上枠の内側に、左右にスライド自在に支持されたバー部材とから引出しロック機構を構成し、更にバー部材に、上蓋13とストッパー部材３の各フック片に差し込まれる係止片を設けて構成した。【選択図】図１
2014181467.tif 000002
【特許請求の範囲】
【請求項１】
正面側に開口部を有する筐体であって、筐体内側の両側面に左右一対のガイドレール(11)(11)…を上下に複数段備える一方、筐体天板には上側が開口した収納部(12)が設けられて、この収納部(12)の後側に、前縁部の下面にフック片(13a)を備えた上蓋(13)が上下に開閉自在に枢支されて成るキャビネット筐体(１)と；このキャビネット筐体(１)の各ガイドレール(11)(11)…にスライド自在に装着された複数の引出しトレイ(２)(２)…と；前記キャビネット筐体(１)の正面側の側枠または上下枠に、前後に開閉自在にヒンジ連結され、かつ、本体部が開口部側に閉じた状態で前記引出しトレイ(２)(２)…の前方に配置される板状または屈曲棒状を成し、更に上部裏側にフック片(31)が設けられたストッパー部材(３)と；前記キャビネット筐体(１)の正面上枠に取り付けられた、キー孔(41a)付き回転体(41)を有する施錠装置(４)と；前記キャビネット筐体(１)の正面上枠の内側に、左右にスライド自在に支持され、かつ、前記施錠装置(４)の回転体(41)に、回転運動に連動してスライド可能に連繋されたバー部材(５)とを含んで成り、
更に前記バー部材(５)には、前記上蓋(13)とストッパー部材(３)を閉じた状態で外側方向にバー部材(５)をスライドさせたとき、上蓋(13)とストッパー部材(３)の各フック片(13a)(31)に差し込まれる係止片(52)(52)を備えて構成したことにより、
前記キャビネット筐体(１)の上蓋(13)と複数の引出しトレイ(２)(２)…を施錠によって同時にロック可能としたことを特徴とする収納キャビネットの引出しロック機構。
【請求項２】
キャビネット筐体(１)の上蓋(13)の左右両側にフック片(13a)(13a)を設け、更に当該フック片(13a)(13a)の間隔以上の長さで形成されたバー部材(５)にも、後向き凸部(52b)を有する係止片(52)を対応位置にそれぞれ設けたことを特徴とする請求項１記載の収納キャビネットの引出しロック機構。
【請求項３】
施錠装置(４)の回転体(41)にピニオン部(41b)を設けると共に、バー部材(５)の所定位置にラック部(51)を設けて、これらを噛み合わせた状態で配置することにより回転体(41)の回転運動に連動してバー部材(４)をスライド可能としたことを特徴とする請求項１または２に記載の収納キャビネットの引出しロック機構。
【請求項４】
バー部材(５)において、摺動部やラック部(51)を形成する部位にプラスチック部品(Ｐ)を使用すると共に、係止片(52)を形成する部位に金属部品(Ｍ)を使用して構成したことを特徴とする請求項３記載の収納キャビネットの引出しロック機構。
【請求項５】
バー部材(５)の端部に、ストッパー部材(３)のフック片(31)の凹部(31a)に挿入する横向き凸部(52a)と、上蓋(13)のフック片(13a)の凹部に挿入する後向き凸部(52b)とが一体となった係止片(52)を設けて構成したことを特徴とする請求項１〜４の何れか一つに記載の収納キャビネットの引出しロック機構。
【請求項６】
キャビネット筐体(１)の上蓋(13)の持ち手部(13b)、及びストッパー部材(３)の上部に挿通孔(13c)(33)を設けて、これらの挿通孔(13c)(33)に紐部を通して封印具(Ｓ)の取付けを可能としたことを特徴とする請求項１〜５の何れか一つに記載の収納キャビネットの引出しロック機構。
【請求項７】
キャビネット筐体(１)の上蓋(13)が透明プラスチック板から構成されていることを特徴とする請求項１〜６の何れか一つに記載の収納キャビネットの引出しロック機構。
【発明の詳細な説明】
【技術分野】
【０００１】
本発明は、収納キャビネットの引出しロック機構の改良、詳しくは、１回の施錠で複数の引出しを同時にロックできるだけでなく、天板側収納部の上蓋も同時にロックすることができ、しかも、ロックの解除も迅速に行え、かつ、構造も簡単で製造コスト面でも有利な収納キャビネットの引出しロック機構に関するものである。
【背景技術】
【０００２】
一般的に、規模の大きい病院などでは、医療器具や薬品等を施設内で効率的に持ち運ぶ手段として引出し式の搬送カートを利用することが多いが、搬送カートの引出しをロックせずに動かすと、カートを停止させた際の移動慣性による衝撃やカートを方向転換させた際の急激な遠心力によって引出しが外側に飛び出してしまうことがある。
【０００３】
また、搬送カートに収納する医療器具や薬品には、高価なものが含まれる上に、医療機関で扱う薬品には、市場での取り引きが規制されている麻薬や向精神薬なども含まれるため、不使用時には搬送カートの引出しを施錠により厳重にロックして、収納した物品が盗まれないようにセキュリティを高める必要がある。
【０００４】
これらの理由から、病院等で使用する搬送カートには、引出しを施錠してロックする機構が求められるが、一般的な搬送カートは複数の引出しを備えているため、引出しを一つずつ施錠する機構では、作業効率が悪い。また、引出しを一つずつ解錠しなければならないと、病室等で医療器具や薬品が緊急に必要となった場合に迅速な対応ができない。
【０００５】
一方、オフィス用デスク等の分野では、引出しのロックと解除を迅速に行えるように、上下に並んだ複数の引出しを１回の施錠(解錠)でロック(ロック解除)できるようにした機構が広く知られているが(例えば、特許文献１,２参照)、これらのロック機構は内部構造が複雑であるため、コスト面で不利になり易い。
【０００６】
そこで、本件発明者は、もっと簡単な構造のロック機構を以前に開発しており(特許文献３,４参照)、これらのロック機構では、カート筐体の上下幅とほゞ同じ長さを有する屈曲棒を、カート正面側に回転自在に取着すると共に、引出し正面にストッパーとして配置した屈曲棒を施錠によって固定できるようにしている。
【０００７】
しかしながら、上記引出しロック機構を備えた搬入カートにおいて、医療器具等を直ぐに取り出せる収納部を上面側に設けた場合に、この収納部の上蓋については、上記引出しロック機構とは別のロック機構を設けて施錠を行う必要があったため、カートの構造が複雑になるだけでなく、施錠・解錠作業も非効率になり易かった。
【先行技術文献】
【特許文献】
【０００８】
【特許文献１】特開２００７−３０３２６０号公報
【特許文献２】特開２００８−１５０９０８号公報
【特許文献３】実開昭６２−３２１６８号公報
【特許文献４】特開２００９−１６１９９０号公報
【発明の概要】
【発明が解決しようとする課題】
【０００９】
本発明は、上記の如き問題に鑑みて為されたものであり、その目的とするところは、１回の施錠で複数の引出しを同時にロックできるだけでなく、天板側収納部の上蓋も同時にロックすることができ、しかも、ロックの解除操作も迅速に行え、かつ、構造も簡単で製造コスト面でも有利な収納キャビネットの引出しロック機構を提供することにある。
【課題を解決するための手段】
【００１０】
本発明者が上記課題を解決するために採用した手段は次のとおりである。
【００１１】
即ち、本発明は、正面側に開口部を有する筐体であって、筐体内側の両側面に左右一対のガイドレール11・11…を上下に複数段備える一方、筐体の天板には上側が開口した収納部12が設けられて、この収納部12の後側に、前縁部の下面にフック片13aを備えた上蓋13が上下に開閉自在に枢支されて成るキャビネット筐体１と；このキャビネット筐体１の各ガイドレール11・11…にスライド自在に装着された複数の引出しトレイ２・２…と；前記キャビネット筐体１の正面側の側枠または上下枠に、前後に開閉自在にヒンジ連結され、かつ、本体部が開口部側に閉じた状態で前記引出しトレイ２・２…の前方に配置される板状または屈曲棒状を成し、更に上部裏側にフック片31が設けられたストッパー部材３と；前記キャビネット筐体１の正面上枠に取り付けられた、キー孔41a付き回転体41を有する施錠装置４と；前記キャビネット筐体１の正面上枠の内側に、左右にスライド自在に支持され、かつ、前記施錠装置４の回転体41に、回転運動に連動してスライド可能に連繋されたバー部材５とを含んで引出しロック機構を構成し、
更に前記バー部材５に、前記上蓋13とストッパー部材３を閉じた状態で外側方向にバー部材５をスライドさせたとき、上蓋13とストッパー部材３の各フック片13a・31に差し込まれる係止片52・52を備えて構成したことにより、
前記キャビネット筐体１の上蓋13と複数の引出しトレイ２・２…を施錠によって同時にロック可能とした点に特徴がある。
【００１２】
なお、上記キャビネット筐体１の上蓋13については、使用者が天板側の収納部12にどのような医療器具等が入っているかを一目で視認でき、しかも、衝撃によって破損し難い透明のプラスチック板(例えば、ポリカーボネート板)を使用するのが望ましい。
【００１３】
また、上記キャビネット筐体１の上蓋13については、より安定的にロックできるように上蓋13の左右両側にフック片13a・13aを設けるのが好ましく、その場合には、バー部材５を前記フック片13a・13aの間隔以上の長さで形成して、バー部材５の対応箇所に、後向き凸部52bを有する係止片52をそれぞれ設ける必要がある。
【００１４】
また、上記施錠装置４の回転体41の回転運動に連動してバー部材４をスライドさせる簡単な構造としては、施錠装置４の回転体41にピニオン部41bを設けると共に、バー部材５の所定位置にラック部51を設けて、これらを噛み合わせた状態で配置する構成を採用することができる。
【００１５】
また更に、上記バー部材５については、摺動部やラック部51を形成する部位にプラスチック部品Ｐを用いると共に、係止片52を形成する部位に金属部品Ｍを用いて構成することで良好なスライド機能とロック機能を実現することができる。
【００１６】
そしてまた、上記バー部材５の端部に、ストッパー部材３のフック片31の凹部31aに挿入する横向き凸部52aと、上蓋13のフック片13aの凹部に挿入する後向き凸部52bとが一体となった係止片52を設けることで構造を単純化することもできる。
【００１７】
そしてまた、上記キャビネット筐体１の上蓋13の持ち手部13b、及びストッパー部材３の上部に挿通孔13c・33を設ければ、これらの挿通孔13c・33に紐部を通して封印具Ｓの取付けを行うことも可能となる。
【発明の効果】
【００１８】
本発明では、正面枠体に開閉自在に取着されたストッパー部材と、天板側に設けられた上蓋付き収納部とを備えたキャビネットにおいて、収納部の上蓋およびストッパー部材にそれぞれフック片を設けると共に、これらのフック片に挿入可能な係止片を、施錠装置に連動するバー部材に設けて構成したことにより、１回の施錠で複数の引出しを制止するストッパー部材と上蓋を同時にロックすることが可能となる。
【００１９】
そのため、医療施設の搬送カートに用いた場合に、移動前や不使用時の施錠作業を効率良く行うことができる。また、本発明では１回の解錠でストッパー部材と上蓋のロックを解除することもできるため、医療器具や薬品が緊急に必要となった状況でも、引出しと上蓋のロックを一遍に解除して収納物を迅速に取り出すことができる。
【００２０】
また更に、本発明では、上記のように一本のバー部材を利用してストッパー部材と上蓋のロックを同時に行えるようにしたことにより、搬送カートに付設するロック機構を一つに纏めてより簡単な構造とすることができるため、搬送カートの製造コストも低廉に抑えることができる。
【００２１】
したがって、本発明により、キャビネットの正面側に装着した複数の引出しと、天板側に設けた収納部の上蓋の施錠・解錠作業を格段に効率化して、医療用の搬送カートに好適に利用できるようにした収納キャビネットの引出しロック機構を提供できることから、本発明の実用的利用価値は頗る高い。
【図面の簡単な説明】
【００２２】
【図１】本発明の実施例１における引出しロック機構を備えた搬送カートの全体斜視図である。
【図２】本発明の実施例１における引出しトレイを全て外した状態の搬送カートを表わす全体正面図である。
【図３】本発明の実施例１における搬送カートの天板側の収納部を表わす拡大斜視図である。
【図４】本発明の実施例１におけるストッパー部材の取り付け構造を表わす全体斜視図である。
【図５】本発明の実施例１における引出ロック機構を表わす拡大斜視図である。
【図６】本発明の実施例１における引出しロック機構の内部構造を表わす透視斜視図である。
【図７】本発明の実施例１におけるストッパー部材のロック機構が動作する状態を表わす状態説明図である。
【図８】本発明の実施例１における上蓋のロック機構が動作する状態を表わす上面側から見た状態説明図である。
【図９】本発明の実施例１における封印具の取付け構造を表わす拡大斜視図である。
【発明を実施するための形態】
【００２３】
『実施例１』
本発明の実施例１について、図１〜図７に基いて説明する。なお同図において、符号１で指示するものは、キャビネット筐体であり、また符号２で指示するものは、引出しトレイである。また符号３で指示するものは、ストッパー部材であり、符号４で指示するものは、施錠装置である。また符号５で指示するものは、バー部材である。
【００２４】
まず本実施例では、病院等で使用される医療用搬送カートＣを、キャビネット筐体１に車輪Ｔ・Ｔ…と走行用ハンドルＨを設けて構成すると共に、キャビネット筐体１の正面側に開口部を設けて、その内側の両側面に、左右一対のガイドレール11・11…を上下に複数段設けて構成している(図１、図２参照)。
【００２５】
そして、上記キャビネット筐体１の各ガイドレール11・11…には、ボックス体の正面側に把手部を備えた引出しトレイ２・２…をスライド自在に装着している。これにより、医療器具や薬品を搬送カートＣの引出しトレイ２・２…に整理した状態で収納することによって、効率的に病院内で持ち運ぶことが可能となる。
【００２６】
また、上部キャビネット筐体１の天板側には、図３に示すように、上側が開口した収納部12を設けており、この収納部12の後側には、前縁部の下面にフック片13aを備えた上蓋13を上下に開閉自在に枢支している。また、この上蓋13の前縁部には、開閉操作を行うための持ち手部13bも設けている。
【００２７】
なお本実施例では、上記キャビネット筐体１の上蓋13に、使用者が天板側の収納部12にどのような医療器具等が入っているかを一目で確認することができ、また落下物等により多少の衝撃を受けた場合でも簡単に割れない耐久性に優れたポリカーボネート樹脂製の透明プラスチック板を使用している。
【００２８】
また、上記キャビネット筐体１の正面側における片方の側枠には、図４に示すように板状のストッパー部材３を、前後に開閉自在にヒンジ連結している。また、このストッパー部材３は、開口部側に閉じた状態で本体部を上記引出しトレイ２・２…の前方に近接配置することで、筐体内に押し込んだ引出しトレイ２・２…の手前への移動を制止できる。
【００２９】
また更に、上記ストッパー部材３の上部裏側には、図５に示すようにストッパー部材３を閉じたときに凹部31aが中央側を向くようにフック片31を設けている。一方、キャビネット筐体１の正面上枠14には、ストッパー部材３を閉じたときに上記フック片31を挿入するための貫通孔14aを設けている。
【００３０】
また更に、上記キャビネット筐体１の正面上枠14には、図６に示すように、鍵Ｋを挿入するキー孔41a付き回転体41を備えた施錠装置４を取り付けている。また、上記キャビネット筐体１の正面上枠14の内側には、バー部材５を左右にスライド自在に動くように支持すると共に、このバー部材５を、上記施錠装置４の回転体41に連繋している。
【００３１】
なお本実施例では、上記施錠装置４の回転体41の回転運動に連動してバー部材４を左右にスライドさせる簡単な構造として、施錠装置４の回転体41の裏側に設けたピニオン部41bと、バー部材５の所定位置に設けたラック部51とが噛み合うように両者を配置する構造を採用している。
【００３２】
また、上記バー部材５には、ストッパー部材３のフック片31に挿入可能な横向き凸部52aを有する係止片52と、キャビネット筐体１の上蓋13のフック片13aに挿入可能な後向き凸部52bを有する係止片52を設けている。なお本実施例では、上記バー部材５の端部に、横向き凸部52aと後向き凸部52bが一体となった係止片52を設けている。
【００３３】
そして、上記ストッパー部材３や上蓋13を閉じた状態で施錠すれば、外側方向にバー部材５がスライドして、図７(a)及び図８(a)に示すように、各フック片31・13aに、バー部材５の係止片52・52が差し込まれるため、引出しトレイ２・２…を制止するストッパー部材３と上蓋13を同時にロックすることができる。
【００３４】
一方、施錠装置４を開錠すれば、バー部材５が施錠時と逆方向にスライドするため、図７(b)及び図８(b)に示すように、各フック片31・13aに差し込まれていた係止片52・52が離脱して、ストッパー部材３と上蓋13のロックが同時に解除される。このように本実施例の引出しロック機構では、ストッパー部材３と上蓋13のロック及びその解除を簡単に行うことができる。
【００３５】
なお本実施例では、キャビネット筐体１の上蓋13のロックが安定するように、上蓋13の左右両側にフック片13a・13aを設けている。またそれに合わせて、バー部材５を上蓋13の左右のフック片13a・13aの間隔以上の長さで形成して、このバー部材５の所定箇所に、後向き凸部52bを有する係止片52をそれぞれ設けている。
【００３６】
また更に、本実施例では、上記バー部材５の摺動部やラック部51を形成する部位に摺動性に優れたポリアセタール樹脂製のプラスチック部品Ｐを用いると共に、係止片52を形成する部位にステンレス製の金属部品Ｍを用いることで、バー部材５のスライド機能とロック機能を両立させている。
【００３７】
そしてまた、本実施例では、図９(a)に示すように、上記キャビネット筐体１の上蓋13の持ち手部13b、及びストッパー部材３の上部に挿通孔13c・33を設けて、図９(b)に示すように、これらの挿通孔13c・33に紐部を通して封印具Ｓの取り付けが行えるようにしている。これにより、搬送カートＣの管理や防犯対策が容易に行えるようになる。
【００３８】
本発明は、概ね上記のように構成されるが、実施例に限定されるものではなく、「特許請求の範囲」の記載内において種々の変更が可能であって、例えば、キャビネット筐体１は、搬送カートＣに用いられるものでなくても収納棚のような設置型の用途で用いられるものであってもよい。
【００３９】
また、ストッパー部材３に関しては、キャビネット筐体１の片方の側枠にヒンジ連結するだけでなく、引出しトレイ２が左右に二つ並べて装着される場合には、左右両側の側枠に取り付けることもできる。また、ストッパー部材３を、キャビネット筐体１の正面の上下枠にヒンジ連結して取り付けることもできる。
【００４０】
また更に、ストッパー部材３の形状に関しても、必ずしも板状である必要はなく、屈曲棒状の形態であってもよい。また、ストッパー部材３のフック片31に関しても、凹部31aを有する形態でなくても、側方からバー部材５の係止片52を差し込み可能なリング部を有する形態であってもよい。
【００４１】
また、施錠装置４の回転体41とバー部材５を連動させる機構についても、汎用的に使用されている機械要素を採用することもでき、また搬送キャビネットＣの用途も、病院内の薬品カートや滅菌器材カート、コンテナ回収カート以外の幅広い用途に利用することができ、何れのものも本発明の技術的範囲に属する。
【産業上の利用可能性】
【００４２】
近年、多くの病院では、薬品や医療器材を各病室まで持ち運ぶ労力を軽減できるように搬送カートの利用が進んでいる。そのような中で、本発明の収納キャビネットの引出しロック機構は、施錠・開錠の省力化が行えるだけでなく、緊急の状況でも迅速に必要な器具や薬品の取り出しを行える有用な技術であるため、その産業上の利用価値は非常に高い。
【符号の説明】
【００４３】
１  キャビネット筐体
11  ガイドレール
12  収納部
13  上蓋
13a  フック片
13b  持ち手部
13c  挿通孔
14  正面上枠
14a  貫通孔
２  引出しトレイ
３  ストッパー部材
31  フック片
31a  凹部
32  把手部
33  挿通孔
４  施錠装置
41  回転体
41a  キー孔
41b  ピニオン部
５  バー部材
51  ラック部
52  係止片
52a  横向き凸部
52b  後向き凸部
Ｃ  搬送カート
Ｈ  走行用ハンドル
Ｋ  鍵
Ｓ  封印具
【図１】
2014181467.tif 000003
【図２】
2014181467.tif 000004
【図３】
2014181467.tif 000005
【図４】
2014181467.tif 000006
【図５】
2014181467.tif 000007
【図６】
2014181467.tif 000008
【図７】
2014181467.tif 000009
【図８】
2014181467.tif 000010
【図９】
2014181467.tif 000011